(57)【要約】      （修正有）【課題】着座面の幅の広い部分を少ない加温流体によって効率よく短時間に昇温させることができる暖房便座を提供する。【解決手段】温水通路２１、３１は、着座面１４の下方において少なくとも前側着座面部１４ａに対応する部位から、後側着座面部１４ｂに対応する部位まで連続して延びている。後側着座面部１４ｂに対応する部位の温水通路２１、３１の断面は、前側着座面部１４ａに対応する部位の温水通路２１、３１の断面よりも扁平であるように構成した。【選択図】図１
2015156942.tif 000002
【特許請求の範囲】
【請求項１】
使用者が着座する着座面（１４）が表面に形成された便座本体（１０）に加温流体が流通する流体通路（２１、３１）を形成した暖房便座（１）において、
上記着座面（１４）は、第１着座面部（１４ａ）と、該第１着座面部（１４ａ）よりも幅の広い第２着座面部（１４ｂ）とを有し、
上記流体通路（２１、３１）は、上記着座面（１４）の裏側において少なくとも上記第１着座面部（１４ａ）に対応する部位から第２着座面部（１４ｂ）に対応する部位まで連続して延びており、
上記第２着座面部（１４ｂ）に対応する部位の上記流体通路（２１、３１）の断面は、上記第１着座面部（１４ａ）に対応する部位の上記流体通路（２１、３１）の断面よりも扁平であることを特徴とする暖房便座（１）。
【請求項２】
請求項１に記載の暖房便座（１）において、
上記便座本体（１０）の幅方向外側寄りに配置される外側流体通路（２１）と、幅方向内側寄りに配置される内側流体通路（３１）とを有し、
上記第２着座面部（１４ｂ）に対応する部位の上記外側流体通路（２１）及び上記内側流体通路（３１）の断面は、上記第１着座面部（１４ａ）に対応する部位の上記外側流体通路（２１）及び上記内側流体通路（３１）の断面よりも扁平であることを特徴とする暖房便座（１）。
【請求項３】
請求項２に記載の暖房便座（１）において、
上記流体通路（２１、３１）は、上記第２着座面部（１４ｂ）に対応する部位において屈曲していることを特徴とする暖房便座（１）。
【請求項４】
請求項２または３に記載の暖房便座（１）において、
着座した使用者から見て上記便座本体（１０）の後となる側に第２着座面部（１４ｂ）が設けられ、
上記外側流体通路（２１）及び上記内側流体通路（３１）は、それぞれ上記便座本体（１０）の後側から前側へ向けて連続して延びており、
上記外側流体通路（２１）及び上記内側流体通路（３１）の後側は前側よりも扁平であることを特徴とする暖房便座（１）。
【発明の詳細な説明】
【技術分野】
【０００１】
本発明は、加温された流体によって着座面を昇温させる暖房便座に関するものである。
【背景技術】
【０００２】
従来より、この種の暖房便座としては、例えば、樹脂製の便座本体の内部に流体通路を形成し、この流体通路に加温された流体を流すことによって便座本体の着座面を昇温させるように構成されたものが知られている（例えば、特許文献１参照）。
【０００３】
特許文献１の暖房便座の流体通路は、便座本体の上下方向に長い断面形状を持っている。また、特許文献１には、流体通路を便座本体の内部において上下に並ぶように形成することも開示されている。
【先行技術文献】
【特許文献】
【０００４】
【特許文献１】特開２０１３−８５９２２号公報
【発明の概要】
【発明が解決しようとする課題】
【０００５】
ところで、便座本体の着座面の幅は部位によって異なる場合がある。例えば、使用者が着座した状態で臀部が接触することになる便座本体の後側の着座面の幅は、前側に比べて広くなっている。この着座面が広い部分には臀部が広く接触することになるので、広い範囲を昇温させたい。
【０００６】
しかしながら、特許文献１では、流体通路の断面形状が上下方向に長いので着座面の幅方向全体を短時間に昇温させるのは難しい。しかも、流体通路の断面形状が上下方向に長いと、流体通路に流す流体の量が多くなるので、短時間の昇温がより一層難しくなる。また、特許文献１に開示されている上下に並ぶように流体通路を形成する場合も同様な問題がある。
【０００７】
本発明は、かかる点に鑑みてなされたものであり、その目的とするところは、着座面の幅の広い部分を少ない加温流体によって効率よく短時間に昇温させることにある。
【課題を解決するための手段】
【０００８】
上記目的を達成するために、本発明では、幅の広い着座面部に対応する流体通路の断面が幅の狭い着座面部に対応する流体通路の断面に比べて扁平になるようにした。
【０００９】
第１の発明は、
使用者が着座する着座面が表面に形成された便座本体に加温流体が流通する流体通路を形成した暖房便座において、
上記着座面は、第１着座面部と、該第１着座面部よりも幅の広い第２着座面部とを有し、
上記流体通路は、上記着座面の裏側において少なくとも上記第１着座面部に対応する部位から第２着座面部に対応する部位まで連続して延びており、
上記第２着座面部に対応する部位の上記流体通路の断面は、上記第１着座面部に対応する部位の上記流体通路の断面よりも扁平であることを特徴とする。
【００１０】
この構成によれば、流体通路内を流れる加温流体の熱が便座本体に伝わって着座面が昇温する。このとき、幅の広い第２着座面部に対応する部位の流体通路の断面が扁平であるため、第２着座面部の広い範囲に加温流体の熱が伝わりやすくなる。また、流体通路の断面が扁平であることから、従来のように上下に長い断面や上下に並べて流路を配置する場合に比べて加温流体の流量を少なくしながら、第２着座面部の広い範囲の昇温が可能になる。
【００１１】
第２の発明は、第１の発明において、
上記便座本体の幅方向外側寄りに配置される外側流体通路と、幅方向内側寄りに配置される内側流体通路とを有し、
上記第２着座面部に対応する部位の上記外側流体通路及び上記内側流体通路の断面は、上記第１着座面部に対応する部位の上記流体通路の断面よりも扁平であることを特徴とする。
【００１２】
この構成によれば、外側流体通路及び内側流体通路によって第２着座面部の広い範囲に加温流体の熱を効率よく伝えることが可能になる。
【００１３】
第３の発明は、第２の発明において、
上記流体通路は、上記第２着座面部に対応する部位において屈曲していることを特徴とする。
【００１４】
この構成によれば、第２着座面部に対応する部位で流体通路を屈曲させることで第２着座面部の広い範囲に加温流体の熱を効率よく伝えることが可能になる。
【００１５】
第４の発明は、第２または３の発明において、
着座した使用者から見て上記便座本体の後となる側に第２着座面部が設けられ、
上記外側流体通路及び上記内側流体通路は、それぞれ上記便座本体の後側から前側へ向けて連続して延びており、
上記外側流体通路及び上記内側流体通路の後側は前側よりも扁平であることを特徴とする。
【００１６】
この構成によれば、外側流体通路及び内側流体通路の後側によって便座本体の後側の広い範囲に加温流体の熱を効率よく伝えることが可能になる。
【発明の効果】
【００１７】
第１の発明によれば、幅の広い第２着座面部に対応する部位の流体通路の断面が、幅の狭い第１着座面部に対応する部位の流体通路の断面よりも扁平となるようにしたので、着座面の幅の広い部分を少ない加温流体によって効率よく短時間に昇温できる。
【００１８】
第２の発明によれば、第２着座面部に対応する部位の外側流体通路及び内側流体通路の断面を扁平にしたので、第２着座面部の広い範囲に加温流体の熱を効率よく伝えてより一層短時間に昇温できる。
【００１９】
第３の発明によれば、第２着座面部に対応する部位において流体通路を屈曲させるようにしたので、第２着座面部の広い範囲に加温流体の熱を効率よく伝えてより一層短時間に昇温できる。
【００２０】
第４の発明によれば、便座本体の後となる側に第２着座面部を設け、便座本体の後側から前側へ向けて連続して延びる外側流体通路及び内側流体通路の後側を前側よりも扁平にしたので、便座本体の後側の広い範囲に加温流体の熱を効率よく伝えてより一層短時間に昇温できる。
【図面の簡単な説明】
【００２１】
【図１】本発明の実施形態に係る暖房便座の斜視図である。
【図２】暖房便座の底面図である。
【図３】図２におけるIII−III線断面図である。
【図４】図２におけるIV−IV線断面図である。
【図５】図２におけるV−V線断面図である。
【図６】図２におけるVI−VI線断面図である。
【図７】図２におけるVII−VII線断面図である。
【発明を実施するための形態】
【００２２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２３】
図１は、本発明の実施形態に係る暖房便座１の斜視図である。暖房便座１は、洋式便器の上面に載置して使用される便座本体１０と、便座本体１０に温水（加温された流体）を供給するための温水供給装置１００とを備えている。図示しないが、便座本体１０が不要な場合には便座本体１を跳ね上げておくこともできるようになっている。
【００２４】
尚、この実施形態の説明では、使用者が便座本体１０に着座した状態で使用者から見て前となる側を「前」といい、使用者から見て後となる側を「後」といい、使用者から見て左となる側を「左」といい、使用者から見て右となる側を「右」というものとする。
【００２５】
便座本体１０は、便器の上面に沿うように環状に形成された樹脂製の部材であり、後述するようにガスインジェクション成形法によって一体成形されたものである。便座本体１０は、環状の上板部１１と、上板部１１の外周縁部から下方へ延びる外周壁部１２と、上板部１１の内周縁部から下方へ延びる内周壁部１３とを備えている。
【００２６】
図２に底面図として示すように、上板部１１は、後側へ行くほど幅が広くなるように形成されており、前端部の幅は最も狭くなっている。また、図３に示すように、上板部１１の後側部分は後端に近づくほど上に位置するように湾曲している。これに伴って外周壁部１２及び内周壁部１３も後端に近づくほど上に位置している。
【００２７】
上板部１１における上面は、使用者が着座する着座面１４である。上板部１１の着座面１４のうち、前後方向中央部よりも前側の領域が前側着座面部（第１着座面部）１４ａであり、後側の領域が後側着座面部（第２着座面部）１４ｂである。全体として、後側着座面部１４ｂの幅の方が前側着座面部１４ａの幅よりも広くなっている。これは、主に後側着座面部１４ｂに使用者の臀部が載り、前側着座面部１４ａの前端部側には使用者が殆ど接触することがないことによるものである。
【００２８】
図４〜図７にも示すように、上板部１４の下面における外周側には、下方へ向かって膨出して上板部１１の周方向に延びる外周側膨出部２０が形成されている。また、上板部１４の下面における内周側には、下方へ向かって膨出して上板部１１の周方向に延びる内側膨出部３０が形成されている。外周側膨出部２０の内部は中空であり、この中空部分が外周側温水通路（流体通路）２１である。同様に、内周側膨出部３０の内部も中空であり、この中空部分が内周側温水通路（流体通路）３１である。
【００２９】
図２に示すように、外周側膨出部２０の一端部２０ａは、上板部１１の後縁部において左寄りに位置している。また、外周側膨出部２０の他端部２０ｂは、上板部１１の後縁部において右寄りに位置している。外周側膨出部２０は、一端部２０ａから前側へ延びた後、上板部１１の左縁部に近づく方向に屈曲した第１屈曲部２２を有している。さらに、外周側膨出部２０は、第１屈曲部２２から前側へ延びながら全体として緩やかに左へ向けて湾曲した第１湾曲部２３を有している。外周側膨出部２０は、第１湾曲部２３から上板部１１の左縁部に沿うように前側へ延びた後、上板部１１の右側へ向けて延びて上板部１１の右縁部に沿って後側へ延びている。
【００３０】
そして、外周側膨出部２０は、上板部１１の右縁部近傍から左側へ緩やかに湾曲した第２湾曲部２４を有している。さらに、外周側膨出部２０は、第２湾曲部２４から後側へ屈曲した第２屈曲部２５を有している。第２屈曲部２５は、外周側膨出部２０の他端部２０ｂに連なっている。
【００３１】
外周側温水通路２１は、外周側膨出部２０の内部において該外周側膨出部２０の一端部２０ａから他端部２０ｂに亘って連続して延びている。外周側温水通路２１は、全体が扁平な断面を有している。外周側温水通路２１における後側着座面部１４ｂに対応する部位は、外周側膨出部２０の第１屈曲部２２、第１湾曲部２３、第２湾曲部２４及び第２屈曲部２５内に形成されている部位である。外周側膨出部２０の第１湾曲部２３及び第２湾曲部２４の断面は、外周側膨出部２０の前側部分の断面、及び外周側膨出部２０の第１屈曲部２２及び第２屈曲部２５の断面に比べて扁平となっている。従って、外周側温水通路２１の後側着座面部１４ｂに対応する部位の断面は、前側着座面部１４ａに対応する部位の外周側温水通路２１の断面よりも扁平になる。
【００３２】
内周側膨出部３０は外周側膨出部２０と相似に近い形状である。すなわち、内周側膨出部２０の一端部３０ａは、上板部１１の後縁部において外周側膨出部２０の一端部２０ａよりも右側に位置している。また、内周側膨出部３０の他端部３０ｂは、上板部１１の後縁部において外周側膨出部２０の他端部２０ｂよりも左側に位置している。
【００３３】
内周側膨出部３０は、その一端部３０ａから前側へ延びた後、上板部１１の左縁部に近づく方向に屈曲した第１屈曲部３２を有している。さらに、内周側膨出部３０は、第１屈曲部３２から左側へ延びながら全体として緩やかに前へ向けて湾曲した第１湾曲部３３を有している。内周側膨出部３０は、第１湾曲部３３から前側へ延びた後、後側へ延びている。そして、内周側膨出部３０は、左側へ緩やかに湾曲した第２湾曲部３４を有している。内周側膨出部３０は、第２湾曲部３４から後側へ屈曲した第２屈曲部３５を有している。第２屈曲部３５は、内周側膨出部３０の他端部３０ｂに連なっている。
【００３４】
内周側温水通路３１は、内周側膨出部３０の内部において該内周側膨出部３０の一端部３０ａから他端部３０ｂに亘って連続して延びている。内周側温水通路３１は、全体が扁平な断面を有している。内周側温水通路３１における後側着座面部１４ｂに対応する部位は、内周側膨出部３０の第１屈曲部３２、第１湾曲部３３、第２湾曲部３４及び第２屈曲部３５内に形成されている部位である。内周側膨出部３０の第１湾曲部３３及び第２湾曲部３４の断面は、内周側膨出部３０の前側部分の断面、及び内周側膨出部３０の第１屈曲部３２及び第２屈曲部３５の断面に比べて扁平となっている。従って、内周側温水通路３１の後側着座面部１４ｂに対応する部位の断面は、前側着座面部１４ａに対応する部位の内周側温水通路３１の断面よりも扁平になる。
【００３５】
外周側膨出部２０の一端部２０ａには、外側排出管部４０が上板部１１の後縁部から後方へ突出するように一体成形されている。この外側排出管部４０は、外周側温水通路２１に連通している。
【００３６】
また、外周側膨出部２０の他端部２０ｂには、外側給水管部４１が上板部１１の後縁部から後方へ突出するように一体成形されている。この外側給水管部４１は、外周側温水通路２１に連通している。
【００３７】
また、内周側膨出部３０の一端部３０ａには、内側給水管部４２が上板部１１の後縁部から後方へ突出するように一体成形されている。この内側給水管部４２は、内周側温水通路３１に連通している。
【００３８】
さらに、内周側膨出部３０の他端部３０ｂには、内側排出管部４３が上板部１１の後縁部から後方へ突出するように一体成形されている。この内側排出管部４３は、内周側温水通路３１に連通している。
【００３９】
上記のように構成された便座本体１０は、ガスインジェクション成形法によって成形される。すなわち、型内に溶融樹脂を射出した後、完全に固化する前に、例えば外側排出管部４０の形成部位に高圧ガスを導入して外側給水管部４１の形成部位から溶融樹脂とともに高圧ガスを排出することで外周側温水通路２１を形成する。同様に、内周側温水通路３１も高圧ガスを利用して成形する。
【００４０】
温水供給装置１００は、水を加熱する加温器１０１と、ポンプ１０２と、温水を外側給水管部４１に送る第１給水管１０３と、温水を内側給水管部４２に送る第２給水管１０４と、温水を内側排出管部４３から排水して回収する第１回収管１０５と、温水を外側排出管部４０から排水して回収する第２回収管１０６とを備えている。尚、加温器１０１やポンプ１０２は従来周知のものであるため、詳細な説明は省略する。
【００４１】
次に、上記のように構成された暖房便座１の作用について説明する。温水供給装置１００が作動すると、加温器１０１によって適温となるまで加温された温水がポンプ１０２によって第１給水管１０３及び第２給水管１０４に送られる。温水の温度調整は任意に設定することができるようになっている。
【００４２】
第１給水管１０３の温水は、外側給水管部４１から外周側温水通路２１の一端部に流入する。外周側温水通路２１の一端部に流入した温水は、便座本体１０の右側部分を前側へ向けて流れた後、左側部分を後側へ向けて流れて外周側温水通路２１の他端部から外側排出管部４０を経て第２回収管１０６から回収される。
【００４３】
外周側温水通路２１内を流れる温水の熱が便座本体１０に伝わって着座面１４が昇温する。このとき、幅の広い後側着座面部１４ｂに対応する部位の外周側温水通路２１の断面が、幅の狭い前側着座面部１４ａの断面に比べて扁平であるため、温水の量を少なくしながら、後側着座面部１４ｂの広い範囲に温水の熱が伝わりやすくなる。また、外周側温水通路２１の断面が扁平であることから、従来のように上下に長い断面や上下に並べて流路を配置する場合に比べて温水の流量が少なくて済む。
【００４４】
同様に、第２給水管１０４の温水は、内側給水管部４２から内周側温水通路３１の一端部に流入する。内周側温水通路３１の一端部に流入した温水は、便座本体１０の左側部分を前側へ向けて流れた後、右側部分を後側へ向けて流れて内周側温水通路３１の他端部から内側排出管部４３を経て第１回収管１０５から回収される。
【００４５】
内周側温水通路３１内を流れる温水の熱も便座本体１０に伝わって着座面１４が昇温する。このとき、幅の広い後側着座面部１４ｂに対応する部位の内周側温水通路３１の断面が、幅の狭い前側着座面部１４ａの断面に比べて扁平であるため、温水の量を少なくしながら、後側着座面部１４ｂの広い範囲に温水の熱が伝わりやすくなる。
【００４６】
以上説明したように、この実施形態に係る暖房便座１によれば、幅の広い後側着座面部１４ｂに対応する部位の外周側温水通路２１及び内周側温水通路３１の断面が、幅の狭い前側着座面部１４ａに対応する部位の断面よりも扁平となるようにしたので、後側着座面１４ｂを少ない温水によって効率よく短時間に昇温できる。
【００４７】
また、外周側温水通路２１及び内周側温水通路３１の後側着座面部１４ｂに対応する部位を屈曲させたり、湾曲させて温水通路２１、３１を長くしたので、後側着座面部１４ｂの広い範囲に温水の熱を効率よく伝えてより一層短時間に昇温できる。
【００４８】
尚、上記実施形態では、外周側温水通路２１及び内周側温水通路３１の２つの通路を設けているが、これに限らず、流体通路を１つだけ設けてもよい。この場合、断面をより扁平にすればよい。また、流体通路は３つ以上設けてもよい。
【００４９】
また、外周側温水通路２１や内周側温水通路３１の屈曲部や湾曲部を多数設けて、外周側温水通路２１や内周側温水通路３１が蛇行するように形成してもよい。
【００５０】
また、流体通路の形状としては、例えば、便座本体１０の左側部分を後側から前側へ向けて連続して延びた後、前側部分においてＵターンして再び後側へ向けて戻るように形成してもよい。便座本体１０の右側部分にも同様にＵターンして延びる流体通路を形成してもよい。
【００５１】
また、上記実施形態では、外周側温水通路２１及び内周側温水通路３１を便座本体１０に一体成形した外周側膨出部２０及び内周側膨出部３０内に設けているが、これに限らず、便座本体１０に上板部１１とは別体のパイプ部材を取り付け、このパイプ部材内に外周側温水通路２１や内周側温水通路３１を設けてもよい。
【００５２】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５３】
以上説明したように、本発明に係る暖房便座は、例えば洋式便器に載置して使用することができる。
【符号の説明】
【００５４】
１            暖房便座
１０          便座本体
１４          着座面
１４ａ        前側着座面部（第１着座面部）
１４ｂ        後側着座面部（第２着座面部）
２１          外周側温水通路（外側流体通路）
３１          内周側温水通路（内側流体通路）
【図１】
2015156942.tif 000003
【図２】
2015156942.tif 000004
【図３】
2015156942.tif 000005
【図４】
2015156942.tif 000006
【図５】
2015156942.tif 000007
【図６】
2015156942.tif 000008
【図７】
2015156942.tif 000009